(57)【要約】【課題】眺望を妨げる部材を極力少なくし、かつ、室内景観に優れたエアフロー構造を提案する。【解決手段】建物の外側に面する外側ガラス面体２と、外側ガラス面体２の室内側に形成された内側ガラス面体３と、外側ガラス面体２と内側ガラス面体３との隙間であるキャビティ空間４とを備えるエアフロー構造１である。内側ガラス面体３は、複数のガラス板３１，３５を板面同士が面一になるように並設することにより形成されていて、複数のガラス板３１，３５は、床面Ｆから通気口３３をあけた状態で配設されており、複数のガラス板３１，３５のうちの少なくとも１枚は、面外移動させた後に横移動させることが可能となるように上端部において吊持された移動式ガラス板３５である。【選択図】図２
2019052482.tif 000002
【特許請求の範囲】
【請求項１】
建物の外側に面する外側ガラス面体と、
前記外側ガラス面体の室内側に形成された内側ガラス面体と、
前記外側ガラス面体と前記内側ガラス面体との隙間であるキャビティ空間と、を備えるエアフロー構造であって、
前記内側ガラス面体は、複数のガラス板を板面同士が面一になるように並設することにより形成されていて、
前記複数のガラス板は、床面から隙間をあけた状態で配設されており、
前記複数のガラス板のうちの少なくとも１枚は、面外移動させた後に横移動させることが可能となるように上端部において吊持された移動式ガラス板であることを特徴とする、エアフロー構造。
【請求項２】
床面から上側に突出することで前記移動式ガラス板を固定するストッパーが、当該移動式ガラス板の真下に形成されていることを特徴とする、請求項１に記載のエアフロー構造。
【請求項３】
前記移動式ガラス板は、前記内側ガラス面体の上方に形成されたレールに沿って移動可能な吊具によって吊持されており、
前記吊具は、前記レールを走行する走行手段を備えていて、
前記レールは、前記走行手段が走行するレール本体と、前記レール本体の室内側に形成されて、前記走行手段を係止する係止手段と、を備えていることを特徴とする、請求項１または請求項２に記載のエアフロー構造。
【発明の詳細な説明】
【技術分野】
【０００１】
本発明は、エアフロー構造に関する。
【背景技術】
【０００２】
高層建物の軽量化、外観意匠の向上、室内側からの眺望の確保を目的として、ガラスカーテンウォールが採用される場合がある。一方、ガラスカーテンウォールは、コンクリート壁に比べると断熱性が劣るため、建物の冷暖房効率が低下してしまう。そのため、建物の外面に面する外側ガラス面体の室内側に内側ガラス面体を設けるダブルスキン構造やエアフロー構造を採用することで、空調負荷の低減化を図る場合がある（例えば、特許文献１乃至特許文献３参照）。ダブルスキン構造やエアフロー構造は、外側ガラス面体と内側ガラス面体との間に形成されたキャビティ空間（空気層）により遮熱性能の向上を図るものである。また、ダブルスキン構造では、キャビティ空間の下部から取り入れた外気を上部から排気させることで夏期におけるキャビティ空間内の温度上昇を抑制する。一方、エアフロー構造では、キャビティ空間の下部から室内空気を取り込み上部から排気することで、キャビティ空間内の温度を一定に保っている。
【先行技術文献】
【特許文献】
【０００３】
【特許文献１】特開２００３−１０６５９８号公報
【特許文献２】特開２００７−１００４３７号公報
【特許文献３】特開２００５−０４８４２５号公報
【発明の概要】
【発明が解決しようとする課題】
【０００４】
ダブルスキン構造やエアフロー構造では、キャビティ空間の定期的なメンテナンスや清掃を目的として、内側ガラス面体に、開閉扉等を設ける場合がある。開閉扉を設けるためには、サッシを採用するのが一般的であるが、サッシを採用すると、窓枠の存在によって室内側からの眺望が低減してしまう。また、回転式の開閉扉（開き戸）は支持構造が複雑になる。一方、スライド式の開閉扉（引き戸）は、左右に隣接する他のガラス板に対して面外方向にずらした状態（引き違い方式）で設置されているため、内側ガラス面体が面一にならず、室内景観が低下する。
このような観点から、本発明は、眺望を妨げる部材を極力少なくし、かつ、室内景観に優れたエアフロー構造を提案することを課題とする。
【課題を解決するための手段】
【０００５】
前記課題を解決するために、本発明のエアフロー構造は、建物の外側に面する外側ガラス面体と、前記外側ガラス面体の室内側に配置された内側ガラス面体と、前記外側ガラス面体と前記内側ガラス面体との隙間であるキャビティ空間とを備えるものである。前記内側ガラス面体は、複数のガラス板を板面同士が面一になるように並設することにより形成されていて、前記複数のガラス板は、床面から隙間をあけた状態で配設されている。そして、前記複数のガラス板のうちの少なくとも１枚は、面外移動させた後に横移動させることが可能となるように上端部において吊持された、移動式ガラス板であることを特徴とする。
【０００６】
かかるエアフロー構造によれば、移動式ガラス板を備えているため、キャビティ空間のメンテナンスが可能である。移動式ガラス板は、面外移動させた後に横移動させるものであるため、通常時においては隣接する他のガラス板と板面同士が面一となるように配設することができる。しかも、移動式ガラス板は吊持されているため、眺望を妨げる部材（窓枠やヒンジ等）を極力少なくすることができ、したがって、室内景観が低下することはない。
【０００７】
床面から上側に突出することで前記移動式ガラス板を固定するストッパーが、当該移動式ガラス板の真下に形成されていれば、上端部において吊持された移動式ガラス板の揺れを防止することができる。そのため、移動式ガラス板および支持部材の負担を軽減することができる。
また、前記移動式ガラス板の支持手段としては、前記内側ガラス面体の上方に形成されたレールを走行可能な走行手段を備えた吊具を採用することができる。なお、前記レールは、前記走行手段が走行するレール本体と、前記レール本体の室内側に形成されて、前記走行手段を係止する係止手段とを備えているのが望ましい。この構成においては、移動式ガラス板を面外移動させると、走行手段が係止手段からレール本体上に移動するため、移動式ガラス板の横移動が可能となる。
【発明の効果】
【０００８】
本発明のエアフロー構造によれば、眺望を妨げる部材を極力少なくし、かつ、室内景観に優れた建物を構成することができる。
【図面の簡単な説明】
【０００９】
【図１】本発明の実施形態に係るエアフロー構造の一部を示す斜視図である。
【図２】（ａ）エアフロー構造の一部を示す平断面図、（ｂ）は同正面図である。
【図３】（ａ）はレールの側面図、（ｂ）はレールの平面図である。
【図４】移動式ガラス板の吊具およびレールを示す断面図である。
【図５】ストッパーの詳細を示す図であって、（ａ）は側面図、（ｂ）は（ａ）のＢ−Ｂ矢視図、（ｃ）は（ａ）のＡ−Ａ断面図である。
【図６】（ａ）〜（ｃ）は移動式ガラス板を移動させる際の各段階を示す平断面図である。
【発明を実施するための形態】
【００１０】
本実施形態のエアフロー構造１は、図１に示すように、外側ガラス面体２と、内側ガラス面体３と、キャビティ空間４とを備えている。
外側ガラス面体２は、建物の外側に面して複数のガラス板（外ガラス板２１，２１，…）を並設することにより形成されている。外側ガラス面体２は、建物の構造体ではなく、いわゆるガラスカーテンウォールを構成している。外側ガラス面体２は、建物の外面に沿って形成された枠材２２に外ガラス板２１を嵌め込むことにより形成されている。また、外ガラス板２１同士は、板面同士が面一になるように並設されている。なお、外側ガラス面体２を構成する外ガラス板２１（枠材２２）の大きさは限定されるものではない。また、外ガラス板２１の固定方法は限定されるものではない。さらに、本実施形態では、外側ガラス面体２（枠材２２）を各フロア（階層）毎に形成するが、外側ガラス面体２は、複数のフロアに跨って形成されていてもよい。
【００１１】
内側ガラス面体３は、外側ガラス面体２の内側（室内Ｒ側）において複数のガラス板（内ガラス板３１，３１，…）を並設することにより形成されている。本実施形態の内側ガラス面体３は、各フロア（各階層）毎に形成されている。内ガラス板３１同士は、板面同士が面一になるように並設されている。複数の内ガラス板３１は、床面Ｆから隙間（通気口３３）をあけた状態で配設されている。隣り合う内ガラス板３１同士の間には、シール材（ガスケット）３２が介設されている。シール材３２の幅（太さ）は、景観を妨げることがないように、なるべく細くするのが望ましいが、地震時等の変形を吸収することができる程度の大きさを確保するものとする。なお、シール材３２は必要に応じて設置すればよく、省略してもよいが、シール材３２を省略する場合には、地震時等の変形を吸収することが可能な程度の隙間を内ガラス板３１同士の間に形成しておくことが好ましい。
【００１２】
図２（ａ）および（ｂ）に示すように、内側ガラス面体３には、キャビティ空間４と室内Ｒとを連通する開口部３４が形成されている。開口部３４には、移動式ガラス板３５が設置されている。内側ガラス面体３に設ける移動式ガラス板３５の数（開口部３４の数）は限定されるものではなく、適宜決定すればよい。
移動式ガラス板３５は、その上端部において吊持されている（図３（ａ）参照）。移動式ガラス板３５は、移動可能に構成されており、移動式ガラス板３５が移動することで、開口部３４が開閉される。一方、移動式ガラス板３５以外の内ガラス板３１は、床面Ｆに所定の間隔をあけて形成された土台３６に載置されているとともに、上端部が固定されていて、移動不能に設けられている。開口部３４に隣接する内ガラス板３１（開口部３４の左右に配置された内ガラス板３１）の開口部３４側の側縁および移動式ガラス板３５の両側縁には、シール材（パッキン）３２が設置されている。なお、シール材３２は、内ガラス板３１および移動式ガラス板３５のいずれか一方のみに設けられていてもよい。
【００１３】
本実施形態の移動式ガラス板３５は、図３（ａ）に示すように、上端部の左右２か所において、吊具６によって吊持されている。吊具６は、天井に固定されたレール５上を走行する。なお、移動式ガラス板３５を吊持する吊具６の数は、複数であれば、限定されるものではない。
吊具６は、図４に示すように、吊具本体６１と、レール５を走行する走行手段６２とを備えている。吊具本体６１の上部は走行手段６２を支持していて、吊具本体６１の下端部は移動式ガラス板３５の上端部に固定されている。
【００１４】
本実施形態の吊具本体６１は、コ字状を呈していて、レール５の上下および一方の側面を覆うように配設されている。すなわち、吊具本体６１は、レール５を囲うように配設されている。吊具本体６１の上側の第一片６３には、走行手段６２を保持する凹部６４が形成されている。本実施形態の走行手段６２は、球体を備えたいわゆるボールキャスターである。なお、走行手段６２の構成は限定されるものではなく、例えば、車輪であってもよい。吊具本体６１の下側の第二片６５には、下向きに延びる取付部６６が形成されている。取付部６６は、移動式ガラス板３５の板面に添設される板状部材である。取付部６６には、固定ピン６７を挿通するための貫通孔が形成されている。吊具６は、取付部６６の貫通孔と移動式ガラス板３５の上部に形成された貫通孔とに挿通した固定ピン６７により移動式ガラス板３５に固定されている。第一片６３と第二片６５とは、第三片６８により連結されている。第三片６８は、レール５の高さ寸法よりも大きな高さを有した板状部分である。
【００１５】
本実施形態のレール５は、図３（ｂ）に示すように、走行手段６２が走行するレール本体５１と、レール本体５１の室内Ｒ側に形成されて、走行手段６２を係止する係止手段５２とを備える金属部材からなる。なお、レール５を構成する材料は、移動式ガラス板３５を支持する強度を備えていれば、限定されるものではない。
レール５は、図４に示すように、取付部材５３を介して天井Ｃに固定されている。取付部材５３は、横板５４と縦板５５とを備える断面逆Ｌ字状部材であって、横板５４を天井Ｃに添設させた状態で、横板５４を貫通するボルト５８を利用して天井Ｃに固定されている。レール５は、レール面板５６とレール面板５６の下面に形成された取付板５７とを備えていて、断面逆Ｌ字状を呈している。レール５は、ボルト５８により取付板５７を縦板５５に固定することで、取付部材５３に固定されている。取付部材５３の下端には、化粧天板Ｃ１が取り付けられている。
【００１６】
レール本体５１と係止手段５２は、レール面板５６の上面に形成されている。レール本体５１は、走行手段６２の走行路であって、走行手段６２の球体の外径と同径の半円筒状の溝である。レール本体５１は、図３（ｂ）に示すように、レール面板５６の室外側の縁（図３（ｂ）において上側の縁）と平行に形成された直線部５１ａと、直線部５１ａに対して傾斜した傾斜部５１ｂと、レール面板５６の室内側の縁（図３（ｂ）において下側の縁）と平行に形成された一端部５１ｃとを備えている。すなわち、レール本体５１は、一端部５１ｃ（図３（ｂ）において左側端部）を除いて、レール面板５６の室外側の縁に沿って形成された溝である。本実施形態のレール本体５１は、移動式ガラス板３５の幅の２倍程度の長さを有している。なお、レール本体５１の長さは、移動式ガラス板３５を移動させた際の開口部３４の幅を考慮して決定するが、開口部３４の幅として人が通れる程度の大きさを確保することができれば限定されるものではなく、例えば、移動式ガラス板３５の幅＋５０ｃｍとしてもよい。
【００１７】
係止手段５２は、走行手段６２の球体を保持するための凹部（窪み）である。係止手段５２は、球体の外径と同径の球面を有している（図４参照）。本実施形態では、レール面板５６の中央部において、レール本体５１の室内側に係止手段５２が１か所形成されている。係止手段５２は、一端部５１ｃの延長上に位置している。なお、係止手段５２は、レール本体５１の室外側に形成されていてもよい。また、係止手段５２の数は限定されるものではなく、吊具６の数に応じて適宜形成すればよい。
【００１８】
移動式ガラス板３５の下方（真下）には、図５（ａ）〜（ｃ）に示すように、ストッパー７が形成されている。ストッパー７は、床面Ｆから上側に突出することで、移動式ガラス板３５を固定する。
本実施形態のストッパー７は、床面Ｆに立設された長方形状の板状部材である。ストッパー７は、床面Ｆの下側に設けられた横軸７１により回転可能に軸支されている。ストッパー７は、立設させた状態で、通気口３３の高さよりも大きな高さを有している。ストッパー７を、横軸７１を中心に回転させると、ストッパー７の高さは、通気口３３の高さよりも小さくなる。なお、本実施形態では、ストッパー７を倒した際に、少なくともストッパー７の一部が収納される長方形状の穴ＦＨが床面Ｆに形成されている。
【００１９】
移動式ガラス板３５の下端には、保護材３７が固定されている。保護材３７には、下向きに開口する凹部３８が形成されている。ストッパー７を立設させると、図５（ｃ）に示すように、保護材３７の凹部３８にストッパー７の上部が挿入されることで、移動式ガラス板３５の下端に係止される。一方、ストッパー７を９０°回転させると、ストッパー７が保護材３７の凹部３８から抜け出して、移動式ガラス板３５とストッパー７との係止状態が解除される。なお、ストッパー７の構成は限定されるものではない。
【００２０】
キャビティ空間４は、図１に示すように、外側ガラス面体２と内側ガラス面体３との間に形成された空間であって、空気層を形成する。キャビティ空間４の大きさ（幅）は限定されるものではないが、本実施形態では、内部において作業員がメンテナンス等の作業を行うことが可能な程度の大きさを確保する。内側ガラス面体３と床面Ｆとの間に形成された通気口３３からキャビティ空間４に取り入れた空気は、キャビティ空間４の上方に形成された排気口（図示せず）から排出する。排気口から排出された空気は、室内Ｒの空調等に接続されたダクト（図示せず）に誘導される。このように、本実施形態の建物は、室内Ｒの空気がキャビティ空間４を介して、循環されている。なお、キャビティ空間４には、必要に応じてブラインドやカーテン等の遮光設備や、照明等を設置してもよい。また、キャビティ空間４に取り込まれた空気は、必ずしも室内Ｒに戻す必要はなく、建物外に排気してもよい。
【００２１】
キャビティ空間４内におけるメンテナンス時等には、移動式ガラス板３５を移動させて、開口部３４から出入りする。
移動式ガラス板３５を移動させる際には、まず、ストッパー７による固定を解除する（図５参照）。次に、図６（ｂ）に示すように、移動式ガラス板３５を室外側に押し出す（面外移動させる）。移動式ガラス板３５を押し出すと、移動式ガラス板３５の他端側（図面において右側）に固定された吊具６の走行手段６２が、係止手段５２からレール本体５１に移動する（図３（ａ）および（ｂ）参照）。このとき、移動式ガラス板３５は、一端側が室内Ｒ側で他端側が室外側となるように傾斜した状態となる。次に、図６（ｃ）に示すように、移動式ガラス板３５を横移動させる（図面において右方向に移動させる）。移動式ガラス板３５に横方向の力を加えると、走行手段６２，６２がレール本体５１に沿って移動し、移動式ガラス板３５が隣接する他の内ガラス板３１の室外側に重なった状態となる。
作業後は、移動式ガラス板３５を逆方向（図面において左方向）に横移動させた後、室内側に引き込む（面外移動させる）。こうすることで、他端側の走行手段６２がレール本体５１から係止手段５２に移動し、図６（ａ）に示すように、移動式ガラス板３５の板面が、隣接する他の内ガラス板３１の板面と面一になる。
【００２２】
本実施形態のエアフロー構造１によれば、移動式ガラス板３５を備えているため、キャビティ空間４のメンテナンスが可能である。移動式ガラス板３５は、面外移動させた後に横移動させるものであるため、通常時においては隣接する他の内ガラス板３１と板面同士が面一となるように配設することができ、景観性に優れている。
また、移動式ガラス板３５は吊持されているため、眺望を妨げる部材（窓枠やヒンジ等）を極力すくなることができ、したがって、室内景観が低下することはない。
また、床面Ｆから上側に突出するストッパー７によって移動式ガラス板３５を固定することで、上端部において吊持された移動式ガラス板３５の揺れを防止することができる。そのため、移動式ガラス板３５および支持部材の負担を軽減することができる。
【００２３】
以上、本発明の実施形態について説明した。しかし、本発明は、前述の実施形態に限られず、前記の各構成要素については、本発明の趣旨を逸脱しない範囲で、適宜変更が可能である。
レール本体５１は、全長にわたって直線であってもよい。この場合には、吊具６の位置（数）に応じて、複数の係止手段５２をレール本体５１の室内側に形成しておく。
また、前記実施形態では、移動式ガラス板３５を面外移動させる際に、他端側のみを室外側に移動させたが、移動式ガラス板３５の面外移動はこれに限定されるものではなく、移動式ガラス板３５を面外方向に平行移動させてもよい。
また、移動式ガラス板３５を面外移動させる際には、室内側に移動させてもよい。
【符号の説明】
【００２４】
１    エアフロー構造
２    外側ガラス面体
２１  外ガラス板
２２  枠材
３    内側ガラス面体
３１  内ガラス板（ガラス板）
３２  シール材
３３  通気口
３４  開口部
３５  移動式ガラス板（ガラス板）
４    キャビティ空間
５    レール
５１  レール本体
５２  係止手段
６    吊具
６１  吊具本体
６２  走行手段
７    ストッパー
Ｃ    天井
Ｆ    床面
Ｒ    室内
【図１】
2019052482.tif 000003
【図２】
2019052482.tif 000004
【図３】
2019052482.tif 000005
【図４】
2019052482.tif 000006
【図５】
2019052482.tif 000007
【図６】
2019052482.tif 000008